(57)【特許請求の範囲】
【請求項１】
目地部を介して設けられた左右の床躯体の一方の目地部側床躯体に形成された反目地部が傾斜面の目地プレートスライド支持凹部と、前記左右の床躯体の他方の目地部側床躯体に設けられた目地プレート支持部と、前記目地プレートスライド支持凹部に先端底面に取付けられた、該底面より下方へ突出する複数個のローラ本体を有するローラがスライド移動可能に支持され、後端部が前記目地プレート支持部に支持具を介して先端部が上下方向に回動できるように取付けられた、前記左右の床躯体の床面とほぼ同一面となるように前記目地部を覆う床用目地プレートとからなる床用目地装置において、前記複数個のローラ本体を有するローラは前記床用目地プレートの先端底面に所定間隔で取付けられた軸受部材と、この軸受部材に取付けられた軸と、前記軸受部材間の前記軸に回転可能に取付けられた、該軸の外径寸法よりも内径寸法が数ミリメートル以上大きいパイプ状のローラ本体とで構成したものを用いたことを特徴とする床用目地装置。
【発明の詳細な説明】
【技術分野】
【０００１】
本発明は目地部を介して設けられた左右の床躯体間を覆う床用目地装置に関する。
【背景技術】
【０００２】
従来、この種の床用目地装置は一方の床躯体の目地部側に反目地部が傾斜面の目地プレートスライド支持凹部を形成するとともに、この目地プレートスライド支持凹部と対応する部位の他方の床躯体の目地部側部位に目地プレート支持凹部を形成し、先端部を前記目地プレートスライド支持凹部に支持させ、後端部を前記目地プレート支持凹部に支持させ、先端部が上方へ回動できるように後端部を目地プレート支持凹部に取付けた目地プレートを用いている。
【０００３】
このように形成された床用目地装置は目地部が広くなったり、狭くなったりする地震の揺れ動きは効率よく吸収することができるが、左右の床躯体が不等沈下した場合、目地プレートスライド支持凹部の目地部側端部が目地プレートの中央部寄りの底面と接触して、目地プレートがガタつき、危険になるという欠点があるとともに、左右の床面と目地プレートとの高さが異なり、危険で、安全に使用することができないという欠点があった。
このような欠点を解消するために、目地部側が低くなるように目地プレートスライド支持凹部を形成することも考えられているが、施工が難しく、スムーズに床用目地プレートをスライドイド移動させることができないという欠点があった。
【先行技術文献】
【特許文献】
【０００４】
【特許文献１】特許第３８５４８７２号公報
【特許文献２】特開２０１１−１７１８５号公報
【発明の概要】
【発明が解決しようとする課題】
【０００５】
本発明は以上のような従来の欠点に鑑み、スムーズにスライド移動することができるとともに、左右の床躯体が不等沈下しても、床用目地プレートが損傷したり、床用目地プレートが外方へ突出して危険になったりするのを確実に阻止することができる床用目地装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明は目地部を介して設けられた左右の床躯体の一方の目地部側床躯体に形成された反目地部が傾斜面の目地プレートスライド支持凹部と、前記左右の床躯体の他方の目地部側床躯体に設けられた目地プレート支持部と、前記目地プレートスライド支持凹部に先端底面に取付けられた、該底面より下方へ突出する複数個のローラ本体を有するローラがスライド移動可能に支持され、後端部が前記目地プレート支持部に支持具を介して先端部が上下方向に回動できるように取付けられた、前記左右の床躯体の床面とほぼ同一面となるように前記目地部を覆う床用目地プレートとからなる床用目地装置において、前記複数個のローラ本体を有するローラは前記床用目地プレートの先端底面に所定間隔で取付けられた軸受部材と、この軸受部材に取付けられた軸と、前記軸受部材間の前記軸に回転可能に取付けられた、該軸の外径寸法よりも内径寸法が数ミリメートル以上大きいパイプ状のローラ本体とで構成したものを用いて床用目地装置を構成している。
【発明の効果】
【０００８】
以上の説明から明らかなように、本発明にあっては次に列挙する効果が得られる。
（１）請求項１により、地震で目地部が広くなったり、狭くなるように左右の床躯体が揺れ動いた場合、床用目地プレートの先端底面の複数個のローラが目地プレートスライド支持凹部をスムーズにスライド移動して、その揺れ動きを吸収する。    
（２）前記（１）により、左右の床躯体が地震により不等沈下した場合、床用目地プレートの底面と、該床用目地プレートの先端底面に取付けられた複数個のローラの下面との間の隙間によって、従来のように床用目地プレートのほぼ中央部の底面を一方の床躯体の目地プレートスライド支持凹部の端部によって押し上げられたりするのを確実に阻止することができ、安全に使用することができる。
（３）前記（１）により、床用目地プレートの先端底面に、該床用目地プレートの底面より下方へ突出するように複数個のローラを取付けるだけでよく、構造が簡単で、容易に実施することができる。
（４）前記（１）により、複数個のローラが安価で、容易に設置することができるとともに、軸の外径寸法よりも内径寸法が数ミリメートル以上大きいパイプ状のローラ本体を用いているので動作不良になったりするのを効率よく阻止することができる。
【図面の簡単な説明】
【０００９】
【図１】本発明を実施するための第１の形態の平面図。
【図２】図１の２−２線に沿う断面図。
【図３】本発明を実施するための第１の形態の床用目地プレートの側面図。
【図４】本発明を実施するための第１の形態の床用目地プレートの底面図。
【図５】本発明を実施するための第１の形態の地震によって目地部が狭くなる動作説明図。
【図６】本発明を実施するための第１の形態の地震によって目地部が広くなる動作説明図。
【図７】本発明を実施するための第１の形態の地震によって一方の床躯体が不等沈下した状態の説明図。
【図８】本発明を実施するための第１の形態の地震によって他方の床躯体が不等沈下した状態の説明図。
【図９】本発明を実施するための第２の形態の平面図。
【図１０】図９の１０−１０線に沿う断面図。
【図１１】本発明を実施するための第２の形態の床用目地プレートの底面図。
【図１２】本発明を実施するための第３の形態の平面図。
【図１３】図１２の１３−１３線に沿う断面図。
【図１４】本発明を実施するための第３の形態の床用目地プレートの底面図。
【図１５】本発明を実施するための第４の形態の平面図。
【図１６】図１５の１６−１６線に沿う断面図。
【図１７】本発明を実施するための第４の形態の床用目地プレートの底面図。
【発明を実施するための形態】
【００１０】
以下、図面に示す本発明を実施するための形態により、本発明を詳細に説明する。
【００１１】
図１ないし図８に示す本発明を実施するための第１の形態において、１は目地部２を介して設けられた左右の床躯体３、３間を覆う本発明の床用目地装置で、この床用目地装置１は前記左右の床躯体３、３の一方の目地部側床躯体３に形成された反目地部が傾斜面４の目地プレートスライド支持凹部５と、前記左右の床躯体３、３の他方の目地部側床躯体３に形成された前記目地プレートスライド支持凹部５の深さ寸法Ｌよりも浅い寸法Ｌ1の凹部状の目地プレート支持部６と、先端部が前記目地プレートスライド支持凹部５を覆い、後端部が前記目地プレート支持部６を覆い、かつ先端部が上方へ回動できるように支持具７で取付けられた床用目地プレート８とで構成されている。
【００１２】
前記床用目地プレート８は高さ寸法が前記Ｌ1寸法とほぼ同じ高さ寸法の浅皿状の金属材製の床用目地プレート本体9と、この床用目地プレート本体９の先端底面の凹部１０を形成した所に下方へ突出するように所定間隔で、溶接等で取付けられた軸受部材１１、１１、この軸受部材１１、１１に回転可能あるいは固定状態で取付けられた軸１２、前記軸受部材１１、１１間の前記軸１２にそれぞれ回転可能に取付けられた、該軸１２の外径寸法よりも内径寸法が数ミリメートル以上大きいパイプ状で、かつ前記床用目地プレート本体9の上面が前記左右の床躯体３、３の上面とほぼ同一面となる複数個のローラ本体１３とからなる、前記軸１２と前記ローラ本体１３との間の隙間にゴミやホコリが侵入しても動作できるローラ１４と、前記床用目地プレート本体9の先端部にヒンジ部材１５を介して回動可能に取付けられたカバープレート１６と、前記床用目地プレート本体9の後端両側部に形成された前記目地プレート支持部６に固定された支持具7の一部を構成する係合ピン１７、１７と係合する支持具７の一部を構成する係合ピン支持ボックス１８、１８と、この係合ピン支持ボックス１８、１８の上部開口部を覆うカバー板１９、１９と、前記床用目地プレート本体９内に充填されるモルタルやコンクリート２０およびタイルやレンガ等の床化粧板２１とで構成されている。
【００１３】
なお、前記軸１２の外周部に１個のローラ本体１３を配置するローラ１４について説明したが、本発明はこれに限らず、ローラ本体１３の外周部に数ミリメートル以上の隙間を介して第２のローラ本体を配置したり、該第２のローラ本体の外周部に数ミリメートル以上の隙間を介して第３のローラ本体を配置してもよい。
【００１４】
上記構成の床用目地装置１は、通常時には図１および図２に示すように、目地部２を床用目地プレート８で左右の床躯体３、３の上面と、該床用目地プレート８の上面とがほぼ同一面となるように覆われている。
【００１５】
地震により目地部２が狭くなるように、図５に示すように左右の床躯体３、３が揺れ動いた場合、床用目地プレート８のローラローラ１４のローラ本体１３、１３が目地プレートスライド支持凹部５の傾斜面４上をスライド移動することなく転動移動して、その揺れ動きを吸収する。
【００１６】
このローラ１４が目地プレートスライド支持凹部５の傾斜面４を転動移動する場合、床用目地プレート本体９と一体的に移動する軸１２によって複数個のローラ本体１３、１３を押し圧するため、複数個のローラ本体１３、１３は傾斜面４に押し圧された状態でスムーズに転動移動して、その揺れ動きを吸収する。
【００１７】
なお、ローラ１４の複数個のローラ本体１３、１３は床躯体３の床面３ａ上も同じようにスムーズに転動移動することができる。この時、床用目地プレート本体９のほぼ中央部の底面は目地プレートスライド支持凹部５の目地部側端部部位と衝突するのを、複数個のローラ本体１３、１３が床用目地プレート本体９の底面より突出していることで阻止している。
【００１８】
地震で目地部２が広くなるように、図６に示すように左右の床躯体３、３が揺れ動いた場合、床用目地プレート８のローラ１４の複数個のローラ本体１３、１３は、目地プレートスライド支持凹部５上を複数個のローラ本体１３、１３が密着した状態で転動移動して、その揺れ動きをスムーズに吸収することができる。
【００１９】
地震で左右の床躯体３、３の一方が不等沈下した場合、図７に示すように複数個のローラ本体１３、１３が床用目地プレート本体９の床面９ａより突出しているため、床用目地プレート本体９が傾斜状態となっても、ほぼ中央部の底面が目地プレートスライド支持凹部５の目地部側端部との衝突を阻止して、その揺れ動きを吸収することができる。
【００２０】
なお、左右の床躯体３、３の他方が不等沈下した場合、図８に示すように床用目地プレート本体９の底面のほぼ中央部は、目地プレートスライド支持凹部５の目地部側端部と離れる方向となるため、その揺れ動きを吸収することができる。    
【００２１】
[発明を実施するための異なる形態]
次に、図９ないし図１７に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２２】
図９ないし図１１に示す本発明を実施するための第２の形態において、前記本発明を実施するための第１の形態と主に異なる点は、先端部の底面に凹部を形成することなく、複数個の軸受部材１１、１１を取付けたローラ１４Ａを用いた点で、このように構成されたローラ１４Ａを用いた床用目地装置１Ａにしても、前記本発明を実施するための第１の形態と同様な作用効果が得られる。
【００２３】
図１２ないし図１４に示す本発明を実施するための第３の形態において、前記本発明を実施するための第１の形態と主に異なる点は、コ字状の軸受部材１１Ａに軸１２Ａとローラ本体１３を取付けたローラ１４Ｂを床用目地プレート本体９
の先端底面に直列状態で取付けた点で、このようなローラ１４Ｂを複数個、床用目地プレート本体９に取付けた床用目地装置１Ｂにしても、前記本発明を実施するための第１の形態と同様な作用効果が得られる。
【００２４】
なお、ローラ１４Ｂを床用目地プレート本体９の先端底面の両端部と中央部に隙間を介して取付けてもよい。
【００２５】
図１５ないし図１７に示す本発明を実施するための第４の形態において、前記本発明を実施するための第１の形態と主に異なる点は。中央部が大径となる樽の輪郭形状のローラ本体１３Ａを用いたローラ１４Ｃを使用した点で、このようなローラ１４Ｃを用いて構成した床用目地装置１Ｃにしても、前記本発明を実施するための第１の形態と同様な作用効果が得られるとともに、ローラ本体１３Ａの目地プレートスライド支持凹部５との接触面積が小さくなるので、よりスムーズに転動させることができ、かつローラ本体１３Ａの転動方向と直角方向への移動も比較的スムーズに行なうことができる。
【産業上の利用可能性】
【００２６】
本発明は目地部を介して設けられた左右の床躯体間を覆う床用目地装置を製造する産業で利用される。
【符号の説明】
【００２７】
１、１Ａ、１Ｂ、１Ｃ：床用目地装置、
２：目地部、        ３：床躯体、
４：傾斜面、          
５：目地プレートスライド支持凹部、  
６：目地プレート支持部、    ７：支持具 
８：床用目地プレート、    ９：床用目地プレート本体、
１０：凹部、        １１、１１Ａ：軸受部材、  
１２、１２Ａ：軸、      １３、１３Ａ：ローラ本体、
１４、１４Ａ：ローラ、    １５：ヒンジ部材、
１６：カバープレート、    １７：係合ピン、
１８：係合ピン支持ボックス、  １９：カバー板、
２０：モルタルやコンクリート、  ２１：床化粧板。
【図１】
0005491445.tif 000002
【図２】
0005491445.tif 000003
【図３】
0005491445.tif 000004
【図４】
0005491445.tif 000005
【図５】
0005491445.tif 000006
【図６】
0005491445.tif 000007
【図７】
0005491445.tif 000008
【図８】
0005491445.tif 000009
【図９】
0005491445.tif 000010
【図１０】
0005491445.tif 000011
【図１１】
0005491445.tif 000012
【図１２】
0005491445.tif 000013
【図１３】
0005491445.tif 000014
【図１４】
0005491445.tif 000015
【図１５】
0005491445.tif 000016
【図１６】
0005491445.tif 000017
【図１７】
0005491445.tif 000018